(57)【要約】  車輪の遠心力方向の加速度に基づいてサンプリング周期を設定し、設定したサンプリング周期ごとに遠心力方向の加速度の重力加速度成分の値を検出するようにした。
2012147396.tif 000002
【特許請求の範囲】
【請求項１】
車輪の外周側に取り付けられ、車輪のタイヤ空気圧情報を送信するタイヤ空気圧送信装置において、
前記車輪が回転しているときの遠心力方向の加速度を検出する加速度検出手段と、
前記遠心力方向の加速度に基づいてサンプリング周期を設定し、設定したサンプリング周期ごとに前記遠心力方向の加速度の重力加速度成分の値を検出する重力加速度成分検出手段と、
前記遠心力方向の加速度の重力加速度成分の値が所定値となったときに、前記タイヤ空気圧情報を無線信号にて送信する送信手段と、
を設けたことを特徴とするタイヤ空気圧送信装置。
【請求項２】
請求項１に記載のタイヤ空気圧送信装置において、
前記重力加速度成分検出手段は、前記遠心力方向の加速度が大きいほど前記サンプリング周期を短く設定することを特徴とするタイヤ空気圧送信装置。
【請求項３】
請求項１または請求項２に記載のタイヤ空気圧送信装置において、
前記重力加速度成分検出手段は、前記加速度検出手段が検出した前記遠心力方向の加速度が所定加速度以上であるときには、前記遠心力方向の加速度の重力加速度成分の値の検出を中止することを特徴とするタイヤ空気圧送信装置。
【請求項４】
各車輪の外周側に取り付けられ、前記車輪のタイヤ空気圧情報を無線信号にて送信するタイヤ空気圧送信部と、
車体側に設けられ、前記無線信号を受信して各車輪のタイヤ空気圧を監視するタイヤ空気圧モニタ本体部と、
を備えたタイヤ空気圧モニタシステムにおいて、
前記タイヤ空気圧送信部は、
前記タイヤ空気圧を検出するタイヤ空気圧検出手段と、
前記車輪が回転しているときの遠心力方向の加速度を検出する加速度検出手段と、
前記遠心力方向の加速度に基づいてサンプリング周期を設定し、設定したサンプリング周期ごとに前記遠心力方向の加速度の重力加速度成分の値を検出する重力加速度成分検出手段と、
前記遠心力方向の加速度の重力加速度成分の値が所定値となったときに、前記タイヤ空気圧情報をタイヤ空気圧送信部固有の識別情報と共に無線信号にて送信する送信手段と、
を設け、
前記タイヤ空気圧モニタ本体部は、
各タイヤ空気圧送信部の前記送信手段から送信された前記タイヤ空気圧情報を受信する受信手段と、
各車輪の回転位置を検出する回転位置検出手段と、
ある識別情報を有するタイヤ空気圧送信部の前記遠心力方向の加速度の重力加速度成分の値が前記所定値となったときに回転位置検出手段が検出した各車輪の回転位置から、前記タイヤ空気圧送信部が取り付けられた車輪の位置を判定する車輪位置判定手段と、
を設けたことを特徴とするタイヤ空気圧モニタシステム。
【請求項５】
請求項４に記載のタイヤ空気圧モニタシステムにおいて、
前記重力加速度成分検出手段は、前記遠心力方向の加速度が大きいほど前記サンプリング周期を短く設定することを特徴とするタイヤ空気圧モニタシステム。
【請求項６】
請求項４または請求項５に記載のタイヤ空気圧モニタシステムにおいて、
前記重力加速度成分検出手段は、前記加速度検出手段が検出した前記遠心力方向の加速度が所定加速度以上であるときには、前記遠心力方向の加速度の重力加速度成分の値の検出を中止することを特徴とするタイヤ空気圧モニタシステム。
【請求項７】
車輪の外周側に取り付けられ、車輪のタイヤ空気圧情報を送信するタイヤ空気圧送信装置において、
前記車輪の回転周波数を検出する回転周波数検出手段と、
前記回転周波数に基づいてサンプリング周期を設定し、設定したサンプリング周期ごとに前記車輪の回転位置を検出する回転位置検出手段と、
前記車輪の回転位置が所定位置となったときに、前記タイヤ空気圧情報を無線信号にて送信する送信手段と、
を設けたことを特徴とするタイヤ空気圧送信装置。
【請求項８】
請求項７に記載のタイヤ空気圧送信装置において、
前記回転位置検出手段は、前記車輪の回転周波数が高いほど前記サンプリング周期を短く設定することを特徴とするタイヤ空気圧送信装置。
【請求項９】
請求項７または請求項８に記載のタイヤ空気圧送信装置において、
前記回転位置検出手段は、回転周波数検出手段が検出した前記車輪の回転周波数が所定速周期以下であるときには、前記車輪の回転位置の検出を中止することを特徴とするタイヤ空気圧送信装置。
【請求項１０】
各車輪の外周側に取り付けられ、前記車輪のタイヤ空気圧情報を無線信号にて送信するタイヤ空気圧送信部と、
車体側に設けられ、前記無線信号を受信して各車輪のタイヤ空気圧を監視するタイヤ空気圧モニタ本体部と、
を備えたタイヤ空気圧モニタシステムにおいて、
前記タイヤ空気圧送信部は、
前記タイヤ空気圧を検出するタイヤ空気圧検出手段と、
前記車輪の回転周波数を検出する回転周波数検出手段と、
前記回転周波数に基づいてサンプリング周期を設定し、設定したサンプリング周期ごとに前記車輪の回転周波数から前記車輪における前記タイヤ空気圧検出手段の位置を検出する送信機位置検出手段と、
前記車輪における前記タイヤ空気圧検出手段の位置が所定位置となったときに、前記タイヤ空気圧情報をタイヤ空気圧送信部固有の識別情報と共に無線信号にて送信する送信手段と、
を設け、
前記タイヤ空気圧モニタ本体部は、
各タイヤ空気圧送信部の前記送信手段から送信された前記タイヤ空気圧情報を受信する受信手段と、
各車輪の回転位置を検出する回転位置検出手段と、
ある識別情報を有するタイヤ空気圧送信部の前記車輪における位置が前記所定位置となったときに前記回転位置検出手段が検出した各車輪の回転位置から、前記タイヤ空気圧送信部が取り付けられた前記車輪の位置を判定する車輪位置判定手段と、
を設けたことを特徴とするタイヤ空気圧モニタシステム。
【請求項１１】
請求項１０に記載のタイヤ空気圧モニタシステムにおいて、
送信機位置検出手段は、前記車輪の回転周波数が高いほど前記サンプリング周期を短く設定することを特徴とするタイヤ空気圧モニタシステム。
【請求項１２】
請求項１０または請求項１１に記載のタイヤ空気圧モニタシステムにおいて、
前記重力加速度成分検出手段は、回転周波数検出手段が検出した前記車輪の回転周波数が所定周期以下であるときには、前記車輪の回転位置の検出を中止することを特徴とするタイヤ空気圧モニタシステム。
【請求項１３】
車輪の外周側に取り付けられ、車輪のタイヤ空気圧情報を送信するタイヤ空気圧送信装置において、
前記車輪が回転しているときの遠心力方向加速度を検出する加速度検出手段と、
前記遠心力方向加速度の重力加速度成分の値が所定値となったときに、前記タイヤ空気圧情報を無線信号にて送信する送信手段と、
設定したサンプリング周期毎に前記遠心力方向加速度の重力加速度成分を検出する手段であって、前記送信手段により前記無線信号を送信する前に前記遠心力方向加速度の重力加速度成分の値の検出を開始し、前記送信手段により前記無線信号を送信した後に前記遠心力方向加速度の重力加速度成分の値の検出を停止する重力加速度成分検出手段と、
を設けたことを特徴とするタイヤ空気圧送信装置。
【請求項１４】
請求項１４に記載のタイヤ空気圧送信装置において、
前記重力加速度成分検出手段は、前記遠心力方向加速度の遠心力成分が大きいほど前記サンプリング周期を短く設定することを特徴とするタイヤ空気圧送信装置。
【請求項１５】
請求項１３または請求項１４に記載のタイヤ空気圧送信装置において、
前記重力加速度成分検出手段は、前記遠心力方向加速度の重力加速度成分の値の検出を開始した後、前記重力加速度成分の第１の周期では前記遠心力方向加速度の遠心力成分が大きいほど短く設定した前記サンプリング周期毎に前記重力加速度成分を検出し、
前記第１の周期につづく第２の周期以降では、前記第１の周期で検出した前記重力加速度成分の周期が短いほど短く設定した前記サンプリング周期毎に前記重力加速度成分を検出することを特徴とするタイヤ空気圧送信装置。
【請求項１６】
各車輪の外周側に取り付けられ、前記車輪のタイヤ空気圧情報を無線信号にて送信するタイヤ空気圧送信部と、
車体側に設けられ、前記無線信号を受信して各車輪のタイヤ空気圧を監視するタイヤ空気圧モニタ装置と、
を備えたタイヤ空気圧モニタシステムにおいて、
前記タイヤ空気圧送信部は、
前記タイヤ空気圧を検出するタイヤ空気圧検出手段と、
前記車輪が回転しているときの遠心力方向加速度を検出する加速度検出手段と、
前記遠心力方向加速度の重力加速度成分の値が所定値となったときに、前記タイヤ空気圧情報を無線信号にて送信する送信手段と、
設定したサンプリング周期毎に前記遠心力方向加速度の重力加速度成分を検出する手段であって、前記送信手段により前記無線信号を送信する前に前記遠心力方向加速度の重力加速度成分の値の検出を開始し、前記送信手段により前記無線信号を送信した後に前記遠心力方向加速度の重力加速度成分の値の検出を停止する重力加速度成分検出手段と、
を設け、
前記タイヤ空気圧モニタ装置は、
各タイヤ空気圧送信部の前記送信手段から送信された前記タイヤ空気圧情報を受信する受信手段と、
各車輪の回転位置を検出する回転位置検出手段と、
ある識別情報を有するタイヤ空気圧送信部の前記遠心力方向加速度の重力加速度成分の値が前記所定値となったときに回転位置検出手段が検出した各車輪の回転位置から、前記タイヤ空気圧送信部が取り付けられた車輪の位置を判定する車輪位置判定手段と、
を設けたことを特徴とするタイヤ空気圧モニタシステム。
【請求項１７】
請求項１６に記載のタイヤ空気圧モニタシステムにおいて、
前記重力加速度成分検出手段は、前記遠心力方向加速度の遠心力成分が大きいほど前記サンプリング周期を短く設定することを特徴とするタイヤ空気圧モニタシステム。
【請求項１８】
請求項１６または請求項１７に記載のタイヤ空気圧モニタシステムにおいて、
前記重力加速度成分検出手段は、前記遠心力方向加速度の重力加速度成分の値の検出を開始した後、前記重力加速度成分の第１の周期では前記遠心力方向加速度の遠心力成分が大きいほど短く設定した前記サンプリング周期毎に前記重力加速度成分を検出し、
前記第１の周期につづく第２の周期以降では、前記第１の周期で検出した前記重力加速度成分の周期が短いほど短く設定した前記サンプリング周期毎に前記重力加速度成分を検出することを特徴とするタイヤ空気圧モニタシステム。
【発明の詳細な説明】
【技術分野】
【０００１】
本発明は、タイヤ空気圧送信装置およびタイヤ空気圧モニタシステムに関する。
【背景技術】
【０００２】
特許文献１には、各車輪に設けられたTPMSセンサにおいて検出した回転方向加速度が1[G]または-1[G]となったタイミングでTPMSデータを送信することにより、TPMSセンサが一定の車輪回転位置でTPMSデータを送信するものが開示されている。車体側に設けられたTPMSECUでは、受信したTPMSデータを受信したタイミングにおいて車輪速センサが検出した車輪速パルスから得られる歯数により、TPMSセンサの車輪位置を判別している。
【先行技術文献】
【特許文献】
【０００３】
【特許文献１】特開２０１０−１２２０２３号公報
【発明の概要】
【発明が解決しようとする課題】
【０００４】
しかしながら、上記従来技術にあっては、所定のサンプリング周期で回転方向加速度を検出する必要があるが、このサンプリング周期が短いとTPMSセンサの消費電力が大きくなりTPMSセンサの電池の長寿命化が図れず、一方、サンプリング周期が長いと回転方向加速度の検出精度が悪くなりTPMSセンサ（タイヤ空気圧送信装置）が一定の車輪回転位置でTPMSデータ（タイヤ空気圧情報）を送信することができない問題があった。
本発明の目的は、タイヤ空気圧送信装置の消費電力を抑制するとともに、タイヤ空気圧送信装置がタイヤ空気圧情報を送信するタイミングの精度を確保することができるタイヤ空気圧送信装置およびタイヤ空気圧モニタシステムを提供することである。
【課題を解決するための手段】
【０００５】
上述の目的を達成するため、第１の発明および第２の発明では、車輪の遠心力方向の加速度に基づいてサンプリング周期を設定し、設定したサンプリング周期ごとに遠心力方向の加速度の重力加速度成分の値を検出するようにした。
また、第３の発明および第４の発明では、車輪の回転周波数に基づいてサンプリング周期を設定し、設定したサンプリング周期ごとに車輪の回転位置を検出するようにした。
また、第５の発明および第６の発明では、送信手段により無線信号を送信する前に所定のサンプリング周期毎に遠心力方向加速度の重力加速度成分の値の検出を開始し、送信手段により無線信号を送信した後に遠心力方向加速度の重力加速度成分の値の検出を停止するようにした。
【発明の効果】
【０００６】
よって、本発明においては、タイヤ空気圧送信装置の消費電力を抑制するとともに、遠心力方向の加速度の重力加速度成分の値の検出精度を確保することができる。
【図面の簡単な説明】
【０００７】
【図１】実施例１のタイヤ空気圧モニタ装置の構成図である。
【図２】実施例１の車輪を示す図である。
【図３】実施例１のTPMSセンサの構成図である。
【図４】実施例１の車輪速と遠心力方向加速度の変化を示すグラフである。
【図５】実施例１の車輪速に応じた重力加速度成分の値の変化を示す図である。
【図６】実施例１の遠心力方向加速度に応じたサンプリング周期の図である。
【図７】実施例１のTPMSコントロールユニットの制御ブロック図である。
【図８】実施例１の各車輪の回転位置算出方法を示す図である。
【図９】実施例１の分散特性値の算出方法を示す図である。
【図１０】実施例１の車輪位置判定制御処理の流れを示すフローチャートである。
【図１１】実施例１の各車輪の回転位置とTPMSデータの受信回数の関係を示す図である。
【図１２】実施例１のTPMSデータの受信回数に応じた各車輪の分散特性値Xの変化を示す図である。
【図１３】実施例２のTPMSセンサの構成図である。
【図１４】実施例２の車輪速と荷重の変化を示すグラフである
【図１５】実施例２の荷重変化周波数に応じたサンプリング周期の図である。
【図１６】実施例３の重力加速度成分のモニタ状況を示す図である。
【図１７】実施例３の車輪速に応じた重力加速度成分の値の変化を示す図である。
【図１８】実施例３の遠心力方向加速度に応じたサンプリング周期の図である。
【図１９】実施例３の重力加速度成分の周期に応じたサンプリング周期の図である。
【図２０】実施例３の重力加速度成分モニタ制御処理の流れを示すフローチャートである。
【符号の説明】
【０００８】
1  車輪
2  TPMSセンサ（タイヤ空気圧送信装置、タイヤ空気圧送信部）
2a  圧力センサ（タイヤ空気圧検出手段）
2b  加速度センサ（加速度検出手段）
2c  センサコントロールユニット（重力加速度成分検出手段）
2d  送信機（送信手段）
2f  ショックセンサ（回転周波数検出手段）
3  受信機（受信手段）
4  TPMSコントロールユニット（車輪位置判定手段）
６  ABSコントロールユニット（回転位置検出手段）
13  タイヤ空気圧モニタシステム
14  TPMS本体部（タイヤ空気圧モニタ本体部）
【発明を実施するための形態】
【０００９】
〔実施例１〕
［全体構成］
図１は、実施例１のタイヤ空気圧モニタシステム13の構成図である。図において、各符号の末尾のFLは左前輪、FRは右前輪、RLは左後輪、RRは右後輪に対応することを示す。以下の説明では、個別に説明する必要がない場合にはFL,FR,RL,RRの記載を省略する。
実施例１のタイヤ空気圧モニタシステム13は、各車輪1に取り付けられたTPMS(Tire Pressure Monitoring System)センサ2と、車体側に設けられたTPMS本体部14とを有している。TPMS本体部14は、受信機3と、TPMSコントロールユニット4と、ディスプレイ5と、ABS(Antilock Brake System)コントロールユニット6と、車輪速センサ8とを備える。
【００１０】
［TPMSセンサの構成］
図２は車輪1を示す図である。図２に示すように、TPMSセンサ2は各車輪1に設けられており、車輪1の外周寄りのタイヤの空気バルブ位置に取り付けられている。
図３はTPMSセンサ2の構成図である。TPMSセンサ2は、圧力センサ2aと、加速度センサ2bと、センサコントロールユニット2cと、送信機2dと、ボタン電池2eとを備える。
【００１１】
圧力センサ2aは、タイヤの空気圧を検出する。加速度センサ2bは、車輪1に作用する遠心方向加速度を検出する。センサコントロールユニット2cは、ボタン電池2eからの電力により動作し、圧力センサ2aからタイヤ空気圧情報と、加速度センサ2bから遠心力加速度情報とを入力する。そして、タイヤ空気圧情報とあらかじめ設定されている各TPMSセンサ2固有のセンサID（識別情報）とをTPMSデータとして無線信号により送信機2dより送信する。実施例１では、各TPMSセンサ2のセンサIDをID1〜ID4とする。
【００１２】
センサコントロールユニット2cは、加速度センサ2bにより検出された遠心方向加速度とあらかじめ設定された走行判定しきい値とを比較し、遠心方向加速度が走行判定しきい値未満の場合は車両停止と判定してTPMSデータの送信を停止する。一方、遠心方向加速度が走行判定しきい値以上の場合は車両が走行していると判定し、所定のタイミングでTPMSデータの送信を行う。
【００１３】
［車輪速センサの構成］
車輪速センサ8は、ロータ11とセンシング部12とから構成されている。図２に示すように、ロータ11は歯車状に形成されており、車輪1の回転中心と同軸に固定されて車輪1と一体に回転する。このロータ11の凹凸面に対向してセンシング部12が設けられている。センシング部12は永久磁石およびコイルとから構成され、ロータ11が回転するとロータ11の凹凸面がセンシング部12の永久磁石により生じた磁界を横切ることにより、磁束密度が変化してコイルに起電力が生じ、この起電力の電圧変化を車輪速パルス信号としてABSコントロールユニット6へ出力する。ロータ11は48歯からなり、センシング部12は車輪1が1回転すると48回のパルスを出力することなる。
【００１４】
［ABSコントロールユニットの構成］
ABSコントロールユニット6は、各車輪速センサ8からの車輪速パルス信号を入力し、パルス数をカウントして、所定時間のパルス変化数により各車輪1の車輪速を求めている。各車輪1の車輪速からある車輪1がロック傾向にある場合、図外のABSアクチュエータを作動させて当該車輪のホイルシリンダ圧を増減または保持してロック傾向を抑制するアンチスキッドブレーキ制御を実施する。また、ABSコントロールユニット6は、一定間隔（例えば、20[msec]間隔）で車輪速パルスのカウント値をCAN通信線7に出力する。
【００１５】
［受信機の構成］
受信機3は、各TPMSセンサ2から出力された無線信号を受信してデコードし、TPMSコントロールユニット4へ出力する。
【００１６】
［TPMSコントロールユニットの構成］
TPMSコントロールユニット4は、受信機3においてデコードされた各TPMSセンサ2からのTPMSデータを入力する。TPMSコントロールユニット4は、不揮発性のメモリ4d（図７参照）に各センサIDと各車輪位置との対応関係とを記憶しており、TPMSデータのセンサIDを記憶している対応関係と照合して当該TPMSデータがどの車輪1のデータであるのかを判定する。当該TPMSデータに含まれるタイヤの空気圧を対応する車輪位置の空気圧としてディスプレイ5に表示する。また、タイヤの空気圧が下限値を下回った場合には、表示色変更、点滅表示や警告音などによりドライバに空気圧の低下を知らせる。
【００１７】
上記のように、TPMSコントロールユニット4は、メモリ4dに記憶した各センサIDと各車輪位置との対応関係に基づいて、受信したTPMSデータがどの車輪1のデータであるのかを判定している。しかし、車両停止中にタイヤローテーションが行われた場合、メモリ4dに記憶された各センサIDと各車輪位置との対応関係が実際の対応関係と合致せず、TPMSデータがどの車輪のデータであるのかがわからなくなる。ここで、「タイヤローテーション」とは、タイヤのトレッド摩耗を均一にし、寿命（トレッドライフ）を延ばすため、タイヤの装着位置を変えることをいう。例えば、乗用車では一般的に左右のタイヤ位置をクロスして前後輪を入れ替える。
そのため、タイヤローテーション後にはメモリ4dの各センサIDと各車輪位置との対応関係を更新する必要がある。しかしながら、車輪1側に設けられたTPMSセンサ2と車体側に設けられたTPMSコントロールユニット4とは相互通信を行うことができないため、実施例１のタイヤ空気圧モニタシステムでは、あらかじめメモリ4dの更新時のプロトコルを設定している。
次に、TPMSセンサ2とTPMSコントロールユニット4の制御について詳述する。
【００１８】
［TPMSセンサの制御］
TPMSセンサ2は、車両停止判定時間が15[min]以上である場合、タイヤローテーションが行われた可能性があると判断する。車両停止判定時間が15[min]未満のときにはメモリ4dの更新は必要ないと判断し、「定時送信モード」を選択する。車両停止判定時間が15[min]以上のときにはメモリ4dの更新が必要と判断し、「定位置送信モード」を選択する。
【００１９】
（定時送信モード）
まず、定時送信モード時のTPMSセンサ2の制御について説明する。
センサコントロールユニット2cは、加速度センサ2bにより検出された遠心方向加速度が走行判定しきい値未満の場合は車両停止と判定して、TPMSデータの送信を停止する。一方、遠心方向加速度が走行判定しきい値未満の場合は車両走行中と判定して、一定間隔（例えば、1[min]間隔）でTPMSデータを送信する。
【００２０】
（定位置送信モード）
次に、定位置送信モード時のTPMSセンサ2の制御について説明する。
定位置送信モードでは、定位位置送信モードの送信間隔よりも短い間隔（例えば、約16[sec]間隔）であって、TPMSセンサ2が一定の回転位置（例えば、車輪1の頂点位置）に来たときにTPMSデータを送信する。つまり、定位置送信モードでは、TPMSデータを送信後、16[sec]経過した後にTPMSセンサ2が車輪1の頂点位置に来たときに次のTPMSデータを送信するため、必ずしも16[sec]間隔とはならない。
【００２１】
定位置送信モードでは、TPMSデータの送信回数が所定回数（例えば、40回）に達するまで実施し、送信回数が40回に達したときには通常モードへ移行する。定位置送信モード中に車両停止と判定した場合には、車両停止判定時間が15[min]未満であるときは再発進後にTPMSデータの送信回数のカウントを継続し、車両停止判定時間が15[min]以上であるときは再発進後に車両停止前のTPMSデータの送信回数をリセットして送信回数のカウントを行う。
【００２２】
（定位置検出制御）
TPMSセンサ2は、定位置送信モードでは前述のようにTPMSセンサ2が一定の回転位置（例えば、車輪1の最上点位置）に来たときにTPMSデータを送信する。TPMSセンサ2は自身が車輪1の最上点位置に来たことを加速度センサ2bによって検出している。
【００２３】
図４は、車輪速と加速度センサ2bが検出する遠心力方向加速度の変化を示すグラフである。図４（ａ）は車輪速、図４（ｂ）は遠心力方向加速度、図４（ｃ）は遠心力方向加速度の重力加速度成分、図４（ｄ）は遠心力方向加速度の遠心力成分を示すグラフである。
【００２４】
遠心力方向加速度は、車輪1が回転することにより発生する遠心力により発生する加速度である遠心力成分と、重力加速度により発生する加速度である重力加速度成分とに分けることができる。
【００２５】
遠心力方向加速度は、図４（ｂ）に示すように波打っているものの全体としては図４（ａ）に示す車輪速に追従して変化する。遠心力成分は、図４（ｄ）に示すように車輪速にほぼ同期して推移する。一方、重力加速度成分は、図４（ｃ）に示すように+1[G]と-1[G]との間を行き来する正弦波形状となり、その周期は車輪速が高いほど短くなる。これは、TPMSセンサ2が車輪1の最上点に来たときに+1[G]となり、最下点に来たときにはTPMSセンサ2の方向が最上点のときと反対となるため-1[G]と検出され、最上点および最下点に対し90度の位置で0[G]となるからである。
【００２６】
遠心方向加速度の重力加速度成分の周期は車輪1の回転周期と同期するため、重力加速度成分の大きさ、方向をモニタすることで、TPMSセンサ2の回転位置を把握できる。よって、例えば、重力加速度成分のピーク（+1[G]）ではTPMSセンサ2は車輪1の最上点に位置することになり、TPMSセンサ2はこの位置でTPMSデータを出力することで常に最上点でTPMSデータを出力できる。
【００２７】
（サンプリング周期可変制御）
図５は車輪速に応じた重力加速度成分の値の変化を示す図である。図５では上から下に向かって車輪速が低い状態から高い状態に変化している。図５に示すように車輪速が高いほど車輪1の回転周期は短くなるため、重力加速度成分の周期も短くなる。
【００２８】
センサコントロールユニット2cは、所定のサンプリング周期ごとに重力加速度成分の値をモニタしているが、重力加速度成分のピークの検出精度を高めるためには、重力加速度成分の1周期内にある程度のサンプリング数を確保する必要がある。一方、サンプリング数が多くなると消費電力が大きくなるため、ボタン電池2eの長寿命化が図れない。
【００２９】
つまり、車輪速が低いときにはサンプリング周期を長くして消費電力を抑制する必要があり、また車輪速が高いときにはサンプリング周期を短くして重力加速度成分の検出精度を高める必要がある。
【００３０】
図６は遠心力方向加速度に応じたサンプリング周期を設定するための図である。前述のように、遠心力方向加速度は図４（ｂ）に示すように波打っているものの全体としては図４（ａ）に示す車輪速に追従して変化する。
【００３１】
よって、図６に示すように遠心力方向加速度が大きいほどサンプリング周期を短くするように設定することで、サンプリング周期を適切に設定でき、消費電力の抑制と重力加速度成分の検出精度を高めることができる。なお、遠心力成分も図４（ｄ）に示すように車輪速にほぼ同期して推移するため、遠心力方向加速度の代わりに遠心力成分を用いても良い。
【００３２】
また、加速度センサ2bの遠心力方向加速度検出値があらかじめ設定した所定加速度以上であるときには、重力加速度成分のモニタを中止するようにする。所定加速度は、車両走行時には生じ得ない加速度に設定しておき、加速度センサ2bの遠心力方向加速度検出値が所定加速度以上であるときには、加速度センサ2bが固着等の異常が発生していると判断できるようにしている。
【００３３】
これは、加速度センサ2bに異常が発生しているときに、サンプリング周期が短く設定されて消費電力が増大することを防止するためである。
【００３４】
［TPMSコントロールユニットの制御］
TPMSコントロールユニット4は、車両停止判定時間が15[min]以上である場合、タイヤローテーションが行われた可能性があると判断する。車両停止判定時間が15[min]未満のときにはメモリ4dの更新は必要ないと判断し、「モニタモード」を選択する。車両停止判定時間が15[min]以上のときにはメモリ4dの更新が必要と判断し、「ラーニングモード」を選択する。
【００３５】
（モニタモード）
まず、モニタモード時のTPMSコントロールユニット4の制御について説明する。
モニタモード時には、TPMSコントロールユニット4は、受信機3から入力したTPMSデータのセンサIDと、不揮発性のメモリ4dに記憶した各センサIDと各車輪位置との対応関係を照合して当該TPMSデータがどの車輪位置のデータであるのかを判定する。そして、当該TPMSデータに含まれるタイヤ空気圧を対応する車輪1の空気圧としてディスプレイ5に表示する。また、タイヤ空気圧が下限値を下回った場合には、表示色変更、点滅表示や警告音などによりドライバに空気圧の低下を知らせる。
【００３６】
（ラーニングモード）
次に、ラーニングモード時のTPMSコントロールユニット4の制御について説明する。
ラーニングモード時には、各TPMSセンサ2がどの車輪位置にあるかの判定が終了するまで、またはラーニングモードの開始から所定の累積走行時間（例えば、8[min]）が経過するまで実施し、ラーニングモード終了後はモニタモードへ移行する。
なお、ラーニングモード中であってもTPMSデータは随時入力されるため、更新前のメモリ4dの各センサIDと各車輪位置との対応関係に基づいて空気圧の表示、空気圧低下の警告を行う。
【００３７】
ラーニングモードでは、ABSコントロールユニット6からの車輪速パルスのカウント値と、あるセンサIDを含むTPMSデータを受信した時間とから該センサIDを含むTPMSデータを送信したTPMSセンサ2の位置が最上点となったときの各車輪1の回転位置を求めている。
【００３８】
TPMSセンサ2は定位置送信モードでは一定の回転位置に来たときにTPMSデータを送信しているため、例えば、ID1のTPMSセンサ2がTPMSデータを送信したときの各車輪1の回転位置を複数送信回にわたって求められれば、ID1のTPMSセンサ2が設けられた車輪1の回転位置は常に一定となる。一方、他の車輪1の回転位置は送信毎に変化することとなる。
【００３９】
これは車両の走行時、各車輪1の回転数は旋回時の内外輪差、車輪1のロックおよびスリップ、タイヤの空気圧差によって差が生じるからである。なお、直進走行中であっても、ドライバによる微少な修正舵や左右路面状態の違い等により、前後輪間および左右輪間に回転数差が生じることが分かっている。
【００４０】
TPMSコントロールユニット4においてラーニングモード時に行われる車輪位置判定制御について詳しく説明する。ここでは説明の簡単のため、ID1のTPMSセンサ2の車輪位置を判定する処理のみを説明するが、他のTPMSセンサ2の車輪位置を判定する処理も同様に行われる。
図７は、車輪位置判定制御を実施するためのTPMSコントロールユニット4の制御ブロック図である。TPMSコントロールユニット4は、回転位置演算部4aと、分散演算部4bと、車輪位置判定部（車輪位置判定手段）4cと、メモリ4dとを備えている。
【００４１】
〈回転位置演算部の制御〉
回転位置演算部4aは、受信機3からデコード後のTPMSデータと、ABSコントロールユニット6から各車輪速パルスのカウント値とを入力し、ID1のTPMSセンサ2の位置が最上点となったときの各車輪1の回転位置を演算する。
【００４２】
前述のようにロータ11は48歯を有しているが、ABSコントロールユニット6では車輪速パルスをカウントするだけであって、各歯の特定までは行っていない。そこで、回転位置演算部4aでは48歯それぞれに仮想的に歯番を振り、振ったロータ11の歯番によって車輪1の回転位置が求めている。ラーニングモードが開始されると、回転位置演算部4aはABSコントロールユニット6から入力される車輪速パルスのカウント値を加算して記憶する。この車輪速パルスの加算値を歯数48で除した余りに1をプラスしたものを歯番としている。
【００４３】
ID1のTPMSセンサ2がTPMSデータを送信したタイミングと、受信機3が該TPMSデータを受信したタイミングとの間にはタイムラグが生じる。さらにID1のTPMSセンサ2の位置が最上点に来たタイミングと、実際にTPMSデータを送信したタイミングとの間にもタイムラグが生じる。
【００４４】
TPMSコントロールユニット6は直接的にはTPMSセンサ2の位置が最上点に来たときの時間を知ることができないため、受信機3がTPMSデータを受信した時間から逆算してTPMSセンサ2の位置が最上点に来たときの時間を推定し、その時の各車輪の回転位置を演算する必要がある。
【００４５】
またABSコントロールユニット6からは20[msec]毎にしか車輪速パルスのカウント値は入力されない、つまり1パルス毎のカウント値は入力されないため、ID1のTPMSセンサ2の位置が最上点に来たときの歯番を演算する必要がある。
【００４６】
図８は、TPMSセンサ2がTPMSデータを送信した時のロータ11の歯番（車輪1の回転位置）を演算する方法を説明する図である。
図８において、車輪速パルスのカウント値を入力した時間をt1、ID1のTPMSセンサ2の位置が最上点となったときの時間をt2、ID1のTPMSセンサ2が実際にTPMSデータの送信を開始した時間をt3、受信機3が該TPMSデータの受信を完了した時間をt4、次に車輪速パルスのカウント値を入力した時間をt5とする。TPMSコントロールユニット6は時間t1,t4,t5を直接知ることができる。時間t3は、時間t4からTPMSデータのデータ長（規定値であり、例えば、約10[msec]）を減算して算出できる。時間t2は、時間t3から送信時のタイムラグ（あらかじめ実験等により求めることができる。）を減算して算出できる。20[msec]間では、車輪速の変化は十分小さいため一定速と仮定する。
【００４７】
時間t1のときの歯番をn1、時間t2のときの歯番をn2、時間t5の歯番をn5とすると、
(t2 - t1) / (t5 - t1) = (n2 - n1) / (n5 - n1)
が成立する。これから、
n2 - n1 = (n5 - n1) * (t2 - t1) / (t5 - t1)
が求められ、ID1のTPMSセンサ2の回転位置が最上点となった時間t2の歯番n2は、
n2 = n1 + (n5 - n1) * (t2 - t1) / (t5 - t1)
となる。
【００４８】
〈分散演算部の制御〉
分散演算部4bは、回転位置演算部4aで演算されたID1のTPMSセンサ2の回転位置が最上点となった時間t2の各車輪1の歯番を蓄積し、各車輪1の回転位置データのばらつき度合いを分散特性値として演算する。
【００４９】
図９は、分散特性値の算出方法を示す図である。実施例１では、２次元平面上に原点(0,0)を中心とした単位円（半径が1の円）を考え、各車輪1の回転位置θ[deg]（= 360 × ロータの歯番 / 48）を、単位円の円周上の座標(cosθ,sinθ)に変換する。つまり、各車輪1の回転位置を、原点(0,0)を始点、座標(cosθ,sinθ)を終点とする長さ1のベクトルとみて、同じ回転位置データの各ベクトルの平均ベクトル(ave_cosθ,ave_sinθ)を求め、平均ベクトルのスカラ量を回転位置データの分散特性値Xとして算出する。
(cosθ,sinθ) = (cos((n2+1)*2π/48),sin((n2+1)*2π/48))
よって、同一センサIDのTPMSデータの受信回数をN(Nは正の整数)とすると、平均ベクトル(ave_cosθ,ave_sinθ)は、
(ave_cosθ,ave_sinθ) = ((Σ(cosθ))/N,(Σ(sinθ))/N)
となり、分散特性値Xは、
X = ave_cosθ2 + ave_sinθ2
で表すことができる。
【００５０】
〈車輪位置判定部の制御〉
車輪位置判定部4cは、分散演算部4bで演算された各車輪1の回転位置データの分散特性値Xを比較し、分散特性値Xの最高値が第１しきい値（例えば、0.57）よりも大きく、かつ、残り３つの分散特性値Xの値がすべて第２しきい値（例えば、0.37）未満となった場合、最高値の分散特性値Xに対応する車輪1にID1のTPMSセンサ2が設けられていると判定し、ID1のTPMSセンサ2と車輪1の位置とを対応関係をメモリ4dに更新する。
【００５１】
〈車輪位置判定制御処理〉
図１０は、車輪位置判定制御処理の流れを示すフローチャートである。以下、各ステップについて説明する。なお、以下の説明では、センサID1の場合について説明するが、他のID(ID2,ID3,ID4)についても並列して車輪位置判定制御処理を行う。
ステップS1では、回転位置演算部4aにおいてセンサID1のTPMSデータを受信する。
ステップS2では、回転位置演算部4aにおいて各車輪1の回転位置を演算する。
【００５２】
ステップS3では、分散演算部4bにおいて各車輪1の回転位置データの分散特性値Xを演算する。
ステップS4では、センサID1のTPMSデータを所定回数（例えば、10回）以上受信したか否かを判定し、YESの場合にはステップS5へ進み、NOの場合にはステップS1へ戻る。
ステップS5では、車輪位置判定部4cにおいて分散特性値の最高値が第１しきい値0.57よりも大きく、かつ、残りの分散特性値の値が第２しきい値0.37未満であるか否かを判定し、YESの場合にはステップS6へ進み、NOの場合にはステップS7へ進む。
【００５３】
ステップS6では、車輪位置判定部4cにおいて最高値の分散特性値と対応する車輪位置を、センサID1のTPMSセンサ2の位置と判定し、ラーニングモードを終了する。
ステップS7では、車輪位置判定部4cにおいてラーニングモードを開始してから所定の累積走行時間（例えば、8分）が経過したか否かを判定し、NOの場合にはステップS1へ進み、YESの場合にはラーニングモードを終了する。
車輪位置判定部4cは、所定の累積走行時間内にすべてのセンサIDについて車輪位置が判定できた場合は、各センサIDと各車輪位置との対応関係をメモリ4dの更新により登録する。一方、所定の累積走行時間内にすべてのセンサIDについて車輪位置が判定できなかった場合は、更新は行わずメモリ4dに記憶された各センサIDと各車輪位置との対応関係を継続して使用する。
【００５４】
［作用］
以下では、タイヤローテーション後に、ID1のTPMSセンサ2の車輪位置が左前輪1FLとなったと前提して説明する。
（車輪位置判定作用）
各TPMSセンサ2は、走行開始直前の車両停止判定時間が15分以上である場合、タイヤローテーションが行われた可能性があると判定し、定時送信モードから定位置送信モードへ移行する。定位置送信モードにおいて、各TPMSセンサ2は、前回の送信時刻から16[sec]経過し、かつ、自身の回転位置が最上点となったときにTPMSデータを送信する。
【００５５】
一方、TPMSコントロールユニット4は、車両停止判定時間が15[min]以上である場合、モニタモードからラーニングモードへ移行する。ラーニングモードにおいて、TPMSコントロールユニット4は、各TPMSセンサ2からTPMSデータを受信する都度、車輪速パルスのカウント値の入力時刻、当該TPMSデータの受信完了時刻等から、当該TPMSセンサ2の回転位置が最上点となったときの各車輪1の回転位置（ロータの歯番）を演算し、これを10回以上繰り返して回転位置データとして蓄積し、各回転位置データのうち最もばらつき度合いが小さな回転位置データに対応する車輪位置を当該TPMSセンサ2の車輪位置と判定する。
【００５６】
ある車輪1に取り付けられたTPMSセンサ2とロータ11とは一体に回転し、またTPMSセンサ2は一定の回転位置に来たときにTPMSデータを送信しているため、TPMSセンサ2がTPMSデータを送信する周期とロータ11の回転周期とは、走行距離や走行状態にかかわらず常に同期（一致）する。
【００５７】
前述のように、車両の走行時、旋回時の内外輪差、車輪1のロックおよびスリップ、タイヤの空気圧差によって各車輪1の回転数には差が生じるため、例えば、ID1のTPMSデータの送信周期と左前輪1FLのロータ11の回転周期は一致するが、ID1のTPMSデータの送信周期と他の車輪1のロータ11との回転周期は一致しない。
よって、TPMSデータの送信周期に対する各車輪1の回転位置データのばらつき度合いを見ることで、各TPMSセンサ2の車輪位置を精度良く判定できる。
【００５８】
図１１は、ID1のTPMSセンサ2の回転位置が最上点となったときの各車輪1FL,1FR,1RL,1RRの回転位置（ロータ11の歯番）とTPMSデータの受信回数との関係を示す図である。図１１（ａ）は左前輪1FLの車輪速センサ8FL、図１１（ｂ）は右前輪1FRの車輪速センサ8FR、図１１（ｃ）は左後輪1RLの車輪速センサ8RL、図１１（ｄ）は右後輪1RRの車輪速センサ8RRに対応する。
【００５９】
図１１から明らかなように、右前輪1FR、左後輪1RL、右後輪1RRの車輪速センサ8FR,8RL,8RRから得られた回転位置（ロータ11の歯番）はばらつき度合いが大きいのに対し、左前輪1FLの車輪速センサ8FLから得られた回転位置はばらつき度合いが最小となり、ID1のTPMSデータの送信周期と左前輪1FLのロータ11の回転周期とがほぼ同期していることがわかる。これより、ID1のTPMSセンサ2の位置は左前輪１FLに取り付けられていると判断することができる。
【００６０】
（分散特性値によるばらつき度合い判定作用）
分散は一般的には「平均との差の2乗」の平均で定義される。しかし、車輪1の回転位置は周期性のある角度データであるため、一般的な分散の式から車輪１の回転位置のばらつき度合い求めることはできない。
【００６１】
そこで、実施例１では、分散演算部4bにおいて、各車輪速センサ8から得られた各車輪1の回転位置θを、原点(0,0)を中心とした単位円の円周上の座標(cosθ,sinθ)に変換し、座標(cosθ,sinθ)をベクトルとみて、同じ車輪１の回転位置データの各ベクトルの平均ベクトル(ave_cosθ,ave_sinθ)を求め、平均ベクトルのスカラー量を分散特性値Xとして算出することで、周期性を回避して車輪１の回転位置のばらつき度合いを求めることができる。
【００６２】
図１２は、ID1のTPMSデータの受信回数に応じた各車輪1の回転位置（ロータ11の歯番）の分散特性値Xの変化を示す図である。図１２において、一点鎖線は左前輪1FLの回転位置の分散特性値X、実線は右前輪1FR、左後輪1RL、右後輪1RRの回転位置の分散特性値Xを示す。
【００６３】
図１２に示すように、センサID1のTPMSデータの受信回数が増えるにつれて、左前輪1FLの回転位置の分散特性値Xは1に近づき、右前輪1FR、左後輪1RL、右後輪1RRの回転位置の分散特性値Xは0に近づく特性を示す。よって、十分な受信回数（数10回程度）に達したときの分散特性値Xの最高値（最も1に近い分散特性値X）を選択すれば良い。しかし、TPMSセンサ2の車輪位置判定中はドライバに正確なタイヤの情報を知らせることができないため、判定時間の長時間化は好ましくない。一方、少ない受信回数（数回程度）では分散特性値Xに差が出ないため、判定精度の低下を招く。
【００６４】
そこで実施例１のタイヤ空気圧モニタシステムでは、車輪位置判定部4cにおいて、同一センサIDのTPMSデータを10回以上受信した場合、当該センサIDが送信されたときの各車輪１の回転位置データの分散特性値Xを比較し、分散特性値Xの最高値が第１しきい値0.57よりも大きく、かつ、残り３つの分散特性値Xの値がいずれも第２しきい値0.37未満となった場合、最高値の分散特性値Xと対応する回転位置データの車輪位置を当該センサIDのTPMSセンサ2の車輪位置と判定する。
【００６５】
単に分散特性値Xの最高値を選択するのではなく、最高値を第１しきい値(0.57)と比較することで一定の判定精度を確保できる。さらに、最高値以外の分散特性値Xを第２しきい値(0.37)と比較することで、最高値と他の3値とに所定(0.2)以上の差があることを確認でき判定精度をより高めることができる。このため、10回という少ない受信回数で判定精度の確保と判定時間の短縮化の両立を実現できる。
【００６６】
（TPMSデータの間欠送信作用）
各TPMSセンサ2は、前回のTPMSデータの送信時刻から16[sec]以上経過し、かつ、自身の回転位置が最上点となったタイミングでTPMSデータの送信を行う。
各車輪１の回転位置データの分散特性値Xを比較して車輪位置判定を行っているため、あるセンサIDのTPMSデータを送信したTPMSセンサ2に対し、当該TPMSセンサ2が取り付けられた車輪1と、他の車輪1との分散特性値Xに差を生じさせるためには、ある程度の累積走行距離を確保する必要がある。
ここで、仮にTPMSセンサ2の回転位置が最上点となる都度、TPMSデータを送信した場合、10回程度の受信回数では分散特性値Xに差が生じず、車輪位置判定が困難となる。
よって、TPMSデータの送信間隔を16[sec]以上とすることで、TPMSデータを10回以上受信するまでにある程度の累積走行距離を確保できるため分散特性値Xに十分な差を出すことができ、車輪位置を精度良く判定できる。
【００６７】
（強制モード変更による電力消費抑制作用）
TPMSセンサ2は、定位置送信モード時にTPMSデータを40回送信すると定時送信モードへ移行する。TPMSセンサ2は、TPMSデータの送信時に最もボタン電池2eの電力を消費するため、送信間隔が短い定位置送信モードを継続するほど、ボタン電池2eの電池寿命が短くなる。
【００６８】
そこで実施例１のタイヤ空気圧モニタシステムでは、十分な累積走行時間が経過しても各車輪位置が判定できない場合は、定位置送信モードを終了して定時送信モードへ移行することで、電池寿命の低下を抑制できる。
【００６９】
一方、TPMSコントロールユニット4は、ラーニングモード開始からの累積走行時間が8分を経過しても各センサIDと各車輪位置との対応関係を判定できない場合は、ラーニングモードを終了してモニタモードへ移行する。累積走行時間が8分を経過したときにTPMSセンサ2から送信された総TPMSデータ数は30弱であり、TPMSセンサ2の定位置送信モード終了にほぼ同期してラーニングモードを終了できる。
【００７０】
(サンプリング周期可変制御による電力消費抑制作用)
センサコントロールユニット2cは、所定のサンプリング周期ごとに重力加速度成分の値をモニタしているが、重力加速度成分のピークの検出精度を高めるためには、重力加速度成分の1周期内にある程度のサンプリング数を確保する必要がある。一方、サンプリング数が多くなると消費電力が大きくなるため、ボタン電池2eの長寿命化が図れない。
【００７１】
そこで実施例１のタイヤ空気圧モニタシステムでは、センサコントロールユニット2cにおいて、遠心力方向加速度が大きいほどサンプリング周期を短くするように設定することとした。
よって、サンプリング周期を適切に設定でき、消費電力の抑制と重力加速度成分の検出精度を高めることができる。
【００７２】
また、加速度センサ2bの遠心力方向加速度検出値があらかじめ設定した所定加速度以上であるときには、重力加速度成分のモニタを中止するようにした。
よって、加速度センサ2bに異常が発生しているときにサンプリング周期が短く設定されることによる消費電力の増大を防止することができる。
【００７３】
［効果］
次に、効果を説明する。
実施例１のTPMSセンサ2にあっては、以下に列挙する効果を奏する。
(1) 車輪1の外周側に取り付けられ、車輪1のタイヤ空気圧情報を送信するTPMSセンサ2（タイヤ空気圧送信装置）において、車輪1が回転しているときの遠心力方向の加速度を検出する加速度センサ2b（加速度検出手段）と、遠心力方向の加速度に基づいてサンプリング周期を設定し、設定したサンプリング周期ごとに遠心力方向の加速度の重力加速度成分の値を検出するセンサコントロールユニット2c（重力加速度成分検出手段）と、遠心力方向の加速度の重力加速度成分の値が所定値となったときに、タイヤ空気圧情報を無線信号にて送信する送信機2d（送信手段）とを設けた。
よって、サンプリング周期を適切に設定でき、消費電力の抑制と重力加速度成分の検出精度を高めることができる。
【００７４】
(2) センサコントロールユニット2cは、遠心力方向の加速度が大きいほどサンプリング周期を短く設定するようにした。
よって、車輪速が低いときにはサンプリング周期を長くして消費電力を抑制することができ、また車輪速が高いときにはサンプリング周期を短くして重力加速度成分の検出精度を高めることができる。
【００７５】
(3) センサコントロールユニット2cは、加速度センサ2bが検出した遠心力方向の加速度が所定加速度以上であるときには、遠心力方向の加速度の重力加速度成分の値の検出を中止することとした。
よって、加速度センサ2bに異常が発生しているときにサンプリング周期が短く設定されることによる消費電力の増大を防止することができる。
【００７６】
また実施例１のタイヤ空気圧モニタシステム13にあっては、以下に列挙する効果を奏する。
(4) 各車輪1の外周側に取り付けられ、車輪1のタイヤ空気圧情報を無線信号にて送信するTPMSセンサ2（タイヤ空気圧送信部）と、車体側に設けられ、無線信号を受信して各車輪1のタイヤ空気圧を監視するTPMS本体部14（タイヤ空気圧モニタ本体部）とを備えたタイヤ空気圧モニタシステム13において、TPMSセンサ2は、タイヤ空気圧を検出する圧力センサ2a（タイヤ空気圧検出手段）と、車輪1が回転しているときの遠心力方向の加速度を検出する加速度センサ2b（加速度検出手段）と、遠心力方向の加速度に基づいてサンプリング周期を設定し、設定したサンプリング周期ごとに遠心力方向の加速度の重力加速度成分の値を検出するセンサコントロールユニット2c（重力加速度成分検出手段）と、遠心力方向の加速度の重力加速度成分の値が所定値となったときに、タイヤ空気圧情報をTPMSセンサ2固有の識別情報と共に無線信号にて送信する送信機2d（送信手段）とを設け、TPMS本体部14は、各TPMSセンサ2の送信機2dから送信されたタイヤ空気圧情報を受信する受信機3（受信手段）と、各車輪1の回転位置を検出するABSコントロールユニット6（回転位置検出手段）と、ある識別情報を有するTPMSセンサ2の遠心力方向の加速度の重力加速度成分の値が所定値となったときに車輪速センサ8が検出した各車輪の回転位置から、TPMSセンサ2が取り付けられた車輪位置を判定するTPMSコントロールユニット4（車輪位置判定手段）とを設けた。
よって、サンプリング周期を適切に設定でき、消費電力の抑制と重力加速度成分の検出精度を高めることができる。
【００７７】
(5) センサコントロールユニット2cは、遠心力方向の加速度が大きいほどサンプリング周期を短く設定するようにした。
よって、車輪速が低いときにはサンプリング周期を長くして消費電力を抑制することができ、また車輪速が高いときにはサンプリング周期を短くして重力加速度成分の検出精度を高めることができる。
【００７８】
(6) センサコントロールユニット2cは、加速度センサ2bが検出した遠心力方向の加速度が所定加速度以上であるときには、遠心力方向の加速度の重力加速度成分の値の検出を中止することとした。
よって、加速度センサ2bに異常が発生しているときにサンプリング周期が短く設定されることによる消費電力の増大を防止することができる。
【００７９】
〔実施例２〕
実施例１では加速度センサ2bが検出した遠心力方向加速度が大きいほどサンプリング周期を短く設定することとしていたが、実施例２ではショックセンサ2fにより車輪1の回転周期を検出し、回転周期が短いほどサンプリング周期を短く設定するようにした。
以下、実施例２について説明するが、実施例１と同じ構成については同一の構成を付して説明を省略する。
【００８０】
［TPMSセンサの構成］
図２に示すように、TPMSセンサ2は各車輪1に設けられており、車輪1の外周寄りのタイヤの空気バルブ位置に取り付けられている。
図１３はTPMSセンサ2の構成図である。TPMSセンサ2は、圧力センサ2aと、ショックセンサ2fと、センサコントロールユニット2cと、送信機2dと、ボタン電池2eとを備える。
【００８１】
圧力センサ2aは、タイヤの空気圧を検出する。ショックセンサ2fは、TPMSセンサ2が取り付けられた位置のタイヤ面が地面に接したときのTPMSセンサ2に作用する荷重の変化を検出する。センサコントロールユニット2cは、ボタン電池2eからの電力により動作し、圧力センサ2aからタイヤ空気圧情報と、ショックセンサ2fから荷重情報とを入力する。そして、タイヤ空気圧情報とあらかじめ設定されている各TPMSセンサ2固有のセンサID（識別情報）とをTPMSデータとして無線信号により送信機2dより送信する。実施例２では、各TPMSセンサ2のセンサIDをID1〜ID4とする。
【００８２】
センサコントロールユニット2cは、ショックセンサ2fにより検出された荷重の変化量とあらかじめ設定された走行判定しきい値とを比較し、荷重の変化量が走行判定しきい値未満の場合は車両停止と判定してTPMSデータの送信を停止する。一方、荷重の変化量が走行判定しきい値以上の場合は車両が走行していると判定し、所定のタイミングでTPMSデータの送信を行う。
【００８３】
［TPMSセンサの制御］
TPMSセンサ2は、車両停止判定時間が15[min]以上である場合、タイヤローテーションが行われた可能性があると判断する。車両停止判定時間が15[min]未満のときにはメモリ4dの更新は必要ないと判断し、「定時送信モード」を選択する。車両停止判定時間が15[min]以上のときにはメモリ4dの更新が必要と判断し、「定位置送信モード」を選択する。
【００８４】
なお、「定時送信モード」、「定位置送信モード」の概要は実施例１と同じであるため説明を省略し、以下では「定位置送信モード」のときに行う「定位置検出制御」と「サンプリング周期可変制御」について主に述べる。
【００８５】
（定位置検出制御）
センサコントロールユニット2cは、定位置送信モードでは前述のようにTPMSセンサ2が一定の回転位置（例えば、タイヤ面が地面に接する位置）に来たときにTPMSデータを送信する。TPMSセンサ2は自身が一定の回転位置に来たことをショックセンサ2fによって検出している。ショックセンサ2fは、TPMSセンサ2の回転位置がタイヤ面が地面に接する位置に来たときに荷重がピークとなる。TPMSセンサ2はこの位置でTPMSデータを出力することで常に一定の回転位置でTPMSデータを出力できる。
【００８６】
（サンプリング周期可変制御）
図１４は車輪速に応じた荷重の変化を示す図である。図１４では上から下に向かって車輪速が低い状態から高い状態に変化している。図１４に示すように車輪速が高いほど車輪1の回転周期は短くなるため、荷重変化周波数は高くなる。
【００８７】
センサコントロールユニット2cは、所定のサンプリング周期ごとに荷重の値をモニタしているが、荷重のピークの検出精度を高めるためには、荷重変化の1周期内にある程度のサンプリング数を確保する必要がある。一方、サンプリング数が多くなると消費電力が大きくなるため、ボタン電池2eの長寿命化が図れない。
【００８８】
つまり、車輪速が低いときにはサンプリング周期を長くして消費電力を抑制する必要があり、また車輪速が高いときにはサンプリング周期を短くして重力加速度成分の検出精度を高める必要がある。
【００８９】
図１５はショックセンサ2fが検出した荷重変化周波数に応じたサンプリング周期を設定するための図である。ショックセンサ2fでは、車輪速（車輪1の回転周波数）が高くなるほど荷重変化周波数は高く検出される。
【００９０】
よって、図１５に示すように荷重変化周波数が高いほどサンプリング周期を短くするように設定することで、サンプリング周期を適切に設定でき、消費電力の抑制と重力加速度成分の検出精度を高めることができる。
【００９１】
また、ショックセンサ2fの荷重検出値があらかじめ設定した所定荷重以上であるときには、荷重のピークのモニタを中止するようにする。所定荷重は、車両走行時には生じ得ない荷重に設定しておき、ショックセンサ2fの荷重検出値が所定荷重以上であるときには、ショックセンサ2fが固着等の異常が発生していると判断できるようにしている。
【００９２】
これは、ショックセンサ2fに異常が発生しているときに、サンプリング周期が短く設定されて消費電力が増大することを防止するためである。
【００９３】
［効果］
次に、効果を説明する。
実施例２のTPMSセンサ2にあっては、以下に列挙する効果を奏する。
(7) 車輪1の外周側に取り付けられ、車輪1のタイヤ空気圧情報を送信するTPMSセンサ2（タイヤ空気圧送信装置）において、車輪1の回転周波数を検出するショックセンサ2f（回転周波数検出手段）と、回転周波数に基づいてサンプリング周期を設定し、設定したサンプリング周期ごとに車輪1の回転位置を検出するセンサコントロールユニット2c（回転位置検出手段）と、車輪1の回転位置が所定位置となったときに、タイヤ空気圧情報を無線信号にて送信する送信機2d（送信手段）とを設けた。
よって、サンプリング周期を適切に設定でき、消費電力の抑制と重力加速度成分の検出精度を高めることができる。
【００９４】
(8) センサコントロールユニット2cは、車輪1の回転周波数が高いほどサンプリング周期を短く設定するようにした。
よって、車輪速が低いときにはサンプリング周期を長くして消費電力を抑制することができ、また車輪速が高いときにはサンプリング周期を短くして重力加速度成分の検出精度を高めることができる。
【００９５】
(9) センサコントロールユニット2cは、ショックセンサ2fが検出した遠心力方向の荷重が所定荷重以上であるときには、車輪1の回転周波数の検出を中止することとした。
よって、ショックセンサ2fに異常が発生しているときにサンプリング周期が短く設定されることによる消費電力の増大を防止することができる。
【００９６】
また実施例２のタイヤ空気圧モニタシステム13にあっては、以下に列挙する効果を奏する。
(10) 各車輪1の外周側に取り付けられ、車輪1のタイヤ空気圧情報を無線信号にて送信するTPMSセンサ2（タイヤ空気圧送信部）と、車体側に設けられ、無線信号を受信して各車輪1のタイヤ空気圧を監視するTPMS本体部14（タイヤ空気圧モニタ本体部）とを備えたタイヤ空気圧モニタシステム13において、TPMSセンサ2は、タイヤ空気圧を検出する圧力センサ2a（タイヤ空気圧検出手段）と、車輪1の回転周波数を検出するショックセンサ2f（回転周波数検出手段）と、回転周波数に基づいてサンプリング周期を設定し、設定したサンプリング周期ごとに車輪1の回転位置を検出するセンサコントロールユニット2c（回転位置検出手段）と、車輪1の回転位置が所定位置となったときに、タイヤ空気圧情報を無線信号にて送信する送信機2d（送信手段）とを設け、TPMS本体部14は、各TPMSセンサ2の送信機2dから送信されたタイヤ空気圧情報を受信する受信機3（受信手段）と、各車輪の回転位置を検出するABSコントロールユニット6（回転位置検出手段）と、ある識別情報を有するTPMSセンサ2の遠心力方向の加速度の重力加速度成分の値が所定値となったときに車輪速センサ8が検出した各車輪1の回転位置から、TPMSセンサ2が取り付けられた車輪位置を判定するTPMSコントロールユニット4（車輪位置判定手段）とを設けた。
よって、サンプリング周期を適切に設定でき、消費電力の抑制と重力加速度成分の検出精度を高めることができる。
【００９７】
(11) センサコントロールユニット2cは、車輪1の回転周波数が高いほどサンプリング周期を短く設定するようにした。
よって、車輪速が低いときにはサンプリング周期を長くして消費電力を抑制することができ、また車輪速が高いときにはサンプリング周期を短くして重力加速度成分の検出精度を高めることができる。
【００９８】
(12) センサコントロールユニット2cは、ショックセンサ2fが検出した遠心力方向の荷重が所定荷重以上であるときには、車輪1の回転周波数の検出を中止することとした。
よって、加速度センサ2bに異常が発生しているときにサンプリング周期が短く設定されることによる消費電力の増大を防止することができる。
【００９９】
〔実施例３〕
実施例１では常に重力加速度成分のモニタするようにしていたが、実施例３では間欠的にモニタするようにした。
以下、実施例３について説明するが、「TPMSセンサの制御」以外の構成は実施例１と同じであるため、同一の構成を付して説明を省略する。
【０１００】
［TPMSセンサの制御］
TPMSセンサ2は、車両停止判定時間が15[min]以上である場合、タイヤローテーションが行われた可能性があると判断する。車両停止判定時間が15[min]未満のときにはメモリ4dの更新は必要ないと判断し、「定時送信モード」を選択する。車両停止判定時間が15[min]以上のときにはメモリ4dの更新が必要と判断し、「定位置送信モード」を選択する。
【０１０１】
なお、「定時送信モード」、「定位置送信モード」の概要は実施例１と同じであるため説明を省略し、以下では「定位置送信モード」のときに行う「部分モニタ制御」、「サンプリング周期可変制御」、「重力加速度成分モニタ制御処理」について主に述べる。
【０１０２】
（部分モニタ制御）
センサコントロールユニット2cは、所定のサンプリング周期ごとに重力加速度成分の値をモニタしているが、重力加速度成分のピークの検出精度を高めるためには、サンプリング周期を短くする必要がある。一方、サンプリング周期が短くなると消費電力が大きくなるため、ボタン電池2eの長寿命化が図れない。
【０１０３】
図１６は重力加速度成分のモニタ状況を示す図である。図１６に示すように、センサコントロールユニット2cでは、前回のTPMSデータを送信後16[sec]経過した後にのみ重力加速度成分の値をモニタし、TPMSデータ送信後16[sec]間は重力加速度成分の値のモニタを停止するようにしている。
これにより、TPMSデータ送信直前にのみ重力加速度成分の値をモニタするため、サンプリング周期を短くしても全体としてはサンプリング数を少なくすることができ、重力加速度成分のピークの検出精度を高めるとともに、消費電力を抑制することができる。
【０１０４】
（サンプリング周期可変制御）
図１７は車輪速に応じた重力加速度成分の値の変化を示す図である。図１７では上から下に向かって車輪速が低い状態から高い状態に変化している。図１７に示すように車輪速が高いほど車輪1の回転周期は短くなるため、重力加速度成分の周期も短くなる。
【０１０５】
重力加速度成分のピークの検出精度を高めるためには、重力加速度成分の1周期内にある程度のサンプリング数を確保する必要がある。一方、サンプリング数が多くなると消費電力が大きくなるため、ボタン電池2eの長寿命化が図れない。
つまり、車輪速が低い（重力加速度成分の周期が長い）ときにはサンプリング周期を長くして消費電力を抑制する必要があり、また車輪速が高い（重力加速度成分の周期が短い）ときにはサンプリング周期を短くして重力加速度成分の検出精度を高める必要がある。
【０１０６】
図１８は遠心力成分の大きさに応じたサンプリング周期を設定するための図である。前述のように、遠心力成分は図４（d）に示すように全体としては図４（ａ）に示す車輪速に追従して変化する。よって、図１８に示すように遠心力成分が大きいほどサンプリング周期を短くするように設定することで、サンプリング周期を適切に設定でき、消費電力の抑制と重力加速度成分の検出精度を高めることができる。
【０１０７】
さらに、センサコントロールユニット2cは、遠心力成分の大きさに基づいて設定したサンプリング周期によりモニタした重力加速度成分から、重力加速度成分の周期を求めることができる。
図１９は重力加速度成分の周期に応じたサンプリング周期を設定するための図である。図１９に示すように重力加速度成分の周期が長いほどサンプリング周期を長くするように設定することで、サンプリング周期を適切に設定でき、消費電力の抑制と重力加速度成分の検出精度を高めることができる。
【０１０８】
図１６に示すように、センサコントロールユニット2cがモニタを開始した直後の第１の周期では、遠心力成分の大きさに応じて設定したサンプリング周期T1,T'1によってモニタを行う。また、第１の周期につづく第２の周期以降では、第１の周期において求めた重力加速度成分の周期に応じて設定したサンプリング周期T2,T'2によってモニタを行う。
【０１０９】
（重力加速度成分モニタ制御処理）
図２０は、センサコントロールユニット2cにおいて行われる重力加速度成分モニタ制御処理の流れを示すフローチャートである。以下、各ステップについて説明する。
ステップR1では、TPMSデータ送信後16[sec]経過したか否かを判定し、YESの場合にはステップR2へ進み、NOの場合には処理を終了する。
【０１１０】
ステップR2では、加速度センサ2bから遠心力加速度を入力し、遠心力成分の大きさを求める。
ステップR3では、遠心力成分の大きさからサンプリング周期を設定する。
ステップR4では、ステップR3で設定したサンプリング周期毎に重力加速度成分をモニタする。
【０１１１】
ステップR5では、重力加速度成分のモニタ結果から重力加速度成分の周期を求める。
ステップR6では、重力加速度成分の周期からサンプリング周期を設定する。
ステップR7では、ステップR6で設定したサンプリング周期毎に重力加速度成分をモニタする。
ステップR8では、重力加速度成分のピークでTPMSデータを送信する。
ステップR9では、重力加速度成分のモニタを停止して、処理を終了する。
【０１１２】
［作用］
（部分モニタによる電力消費抑制作用）
センサコントロールユニット2cは、所定のサンプリング周期ごとに重力加速度成分の値をモニタしているが、重力加速度成分のピークの検出精度を高めるためには、サンプリング周期を短くする必要がある。一方、サンプリング周期が短くなると消費電力が大きくなるため、ボタン電池2eの長寿命化が図れない。
【０１１３】
そこで実施例１のタイヤ空気圧モニタシステム13では、センサコントロールユニット2cでは、前回のTPMSデータを送信後16[sec]経過した後にのみ重力加速度成分の値をモニタし、TPMSデータ送信後16[sec]間は重力加速度成分の値のモニタを停止するようにした。
よって、TPMSデータ送信直前にのみ重力加速度成分の値をモニタするため、サンプリング周期を短くしても全体としてはサンプリング数を少なくすることができ、重力加速度成分のピークの検出精度を高めるとともに、消費電力を抑制することができる。
【０１１４】
(サンプリング周期可変制御による電力消費抑制作用)
重力加速度成分のピークの検出精度を高めるためには、重力加速度成分の1周期内にある程度のサンプリング数を確保する必要がある。一方、サンプリング数が多くなると消費電力が大きくなるため、ボタン電池2eの長寿命化が図れない。
【０１１５】
そこで実施例１のタイヤ空気圧モニタシステム13では、センサコントロールユニット2cにおいて、遠心力成分が大きいほどサンプリング周期を短くするように設定することとした。
よって、サンプリング周期を適切に設定でき、消費電力の抑制と重力加速度成分の検出精度を高めることができる。
【０１１６】
さらに、センサコントロールユニット2cにおいて、遠心力成分の大きさに基づいて設定したサンプリング周期によりモニタした重力加速度成分から、重力加速度成分の周期を求め、重力加速度成分の周期が短いほどサンプリング周期を短くするように設定することとした。
よって、重力加速度成分のピークの検出精度を確保可能なサンプリング周期を求めるために、直接影響する重力加速度成分の周期を用いることで、より適切なサンプリング周期を設定することができ、消費電力の抑制と重力加速度成分の検出精度を高めることができる。
【０１１７】
［効果］
次に、効果を説明する。
実施例１のTPMSセンサ2にあっては、以下に列挙する効果を奏する。
(13) 車輪1の外周側に取り付けられ、車輪1のタイヤ空気圧情報を送信するTPMSセンサ2（タイヤ空気圧送信装置）において、車輪1が回転しているときの遠心力方向加速度を検出する加速度センサ2b（加速度検出手段）と、遠心力方向加速度の重力加速度成分の値が所定値となったときに、タイヤ空気圧情報を無線信号にて送信する送信機2d（送信手段）と、設定したサンプリング周期毎に遠心力方向加速度の重力加速度成分を検出する手段であって、送信機2dにより無線信号を送信する前に遠心力方向加速度の重力加速度成分の値の検出を開始し、送信機2dにより無線信号を送信した後に遠心力方向加速度の重力加速度成分の値の検出を停止するセンサコントロールユニット2c（重力加速度成分検出手段）とを設けた。
よって、TPMSデータ送信直前にのみ重力加速度成分の値をモニタするため、サンプリング周期を短くしても全体としてはサンプリング数を少なくすることができ、重力加速度成分のピークの検出精度を高めるとともに、消費電力を抑制することができる。
【０１１８】
(14) センサコントロールユニット2cは、遠心力方向加速度の遠心力成分が大きいほどサンプリング周期を短く設定するようにした。
よって、車輪速が低いときにはサンプリング周期を長くして消費電力を抑制することができ、また車輪速が高いときにはサンプリング周期を短くして重力加速度成分の検出精度を高めることができる。
【０１１９】
(15) センサコントロールユニット2cは、遠心力方向加速度の重力加速度成分の値の検出を開始した後、重力加速度成分の第１の周期では遠心力方向加速度の遠心力成分が大きいほど短く設定したサンプリング周期毎に重力加速度成分を検出し、第１の周期につづく第２の周期以降では、第１の周期で検出した重力加速度成分の周期が短いほど短く設定したサンプリング周期毎に重力加速度成分を検出するようにした。
よって、重力加速度成分のピークの検出精度を確保可能なサンプリング周期を求めるために、直接影響する重力加速度成分の周期を用いることで、より適切なサンプリング周期を設定することができ、消費電力の抑制と重力加速度成分の検出精度を高めることができる。
【０１２０】
また実施例１のタイヤ空気圧モニタシステム13にあっては、以下に列挙する効果を奏する。
(16) 各車輪1の外周側に取り付けられ、車輪1のタイヤ空気圧情報を無線信号にて送信するTPMSセンサ2（タイヤ空気圧送信部）と、車体側に設けられ、無線信号を受信して各車輪1のタイヤ空気圧を監視するTPMS本体部14（タイヤ空気圧モニタ本体部）とを備えたタイヤ空気圧モニタシステム13において、TPMSセンサ2は、タイヤ空気圧を検出する圧力センサ2a（タイヤ空気圧検出手段）と、車輪1が回転しているときの遠心力方向加速度を検出する加速度センサ2b（加速度検出手段）と、遠心力方向加速度の重力加速度成分の値が所定値となったときに、タイヤ空気圧情報を無線信号にて送信する送信機2d（送信手段）と、設定したサンプリング周期毎に遠心力方向加速度の重力加速度成分を検出する手段であって、送信機2dにより無線信号を送信する前に遠心力方向加速度の重力加速度成分の値の検出を開始し、送信機2dにより無線信号を送信した後に遠心力方向加速度の重力加速度成分の値の検出を停止するセンサコントロールユニット2c（重力加速度成分検出手段）とを設け、TPMS本体部14は、各TPMSセンサ2の送信機2dから送信されたタイヤ空気圧情報を受信する受信機3（受信手段）と、各車輪1の回転位置を検出するABSコントロールユニット6（回転位置検出手段）と、ある識別情報を有するTPMSセンサ2の遠心力方向の加速度の重力加速度成分の値が所定値となったときに車輪速センサ8が検出した各車輪の回転位置から、TPMSセンサ2が取り付けられた車輪位置を判定するTPMSコントロールユニット4（車輪位置判定手段）とを設けた。
よって、TPMSデータ送信直前にのみ重力加速度成分の値をモニタするため、サンプリング周期を短くしても全体としてはサンプリング数を少なくすることができ、重力加速度成分のピークの検出精度を高めるとともに、消費電力を抑制することができる。
【０１２１】
(17) センサコントロールユニット2cは、遠心力方向加速度の遠心力成分が大きいほどサンプリング周期を短く設定するようにした。
よって、車輪速が低いときにはサンプリング周期を長くして消費電力を抑制することができ、また車輪速が高いときにはサンプリング周期を短くして重力加速度成分の検出精度を高めることができる。
【０１２２】
(18) センサコントロールユニット2cは、遠心力方向加速度の重力加速度成分の値の検出を開始した後、重力加速度成分の第１の周期では遠心力方向加速度の遠心力成分が大きいほど短く設定したサンプリング周期毎に重力加速度成分を検出し、第１の周期につづく第２の周期以降では、第１の周期で検出した重力加速度成分の周期が短いほど短く設定したサンプリング周期毎に重力加速度成分を検出するようにした。
よって、重力加速度成分のピークの検出精度を確保可能なサンプリング周期を求めるために、直接影響する重力加速度成分の周期を用いることで、より適切なサンプリング周期を設定することができ、消費電力の抑制と重力加速度成分の検出精度を高めることができる。
【０１２３】
〔他の実施例〕
以上、本発明を実施するための最良の形態を、図面に基づく実施例により説明したが、本発明の具体的な構成は、実施例に限定されるものではなく、発明の要旨を逸脱しない範囲の設計変更等があっても本発明に含まれる。
例えば、実施例では、回転位置検出手段として車輪速センサを用いた例を示したが、駆動源としてインホイールモータを備えた車両では、モータのレゾルバを用いて回転角度を検出してもよい。
【図１】
2012147396.tif 000003
【図２】
2012147396.tif 000004
【図３】
2012147396.tif 000005
【図４】
2012147396.tif 000006
【図５】
2012147396.tif 000007
【図６】
2012147396.tif 000008
【図７】
2012147396.tif 000009
【図８】
2012147396.tif 000010
【図９】
2012147396.tif 000011
【図１０】
2012147396.tif 000012
【図１１】
2012147396.tif 000013
【図１２】
2012147396.tif 000014
【図１３】
2012147396.tif 000015
【図１４】
2012147396.tif 000016
【図１５】
2012147396.tif 000017
【図１６】
2012147396.tif 000018
【図１７】
2012147396.tif 000019
【図１８】
2012147396.tif 000020
【図１９】
2012147396.tif 000021
【図２０】
2012147396.tif 000022
【手続補正書】
【提出日】平成24年12月3日(2012.12.3)
【手続補正１】
【補正対象書類名】特許請求の範囲
【補正対象項目名】全文
【補正方法】変更
【補正の内容】
【特許請求の範囲】
【請求項１】
車輪に取り付けられたタイヤ空気圧送信装置において、
前記車輪のタイヤ空気圧を検出するタイヤ空気圧検出手段と、
前記車輪が回転しているときの遠心力方向の加速度を検出する加速度検出手段と、
前記遠心力方向の加速度に基づいてサンプリング周期を設定し、設定した前記サンプリング周期ごとに前記遠心力方向の加速度の重力加速度成分の値を検出する重力加速度成分検出手段と、
を備え、
前記重力加速度成分の値が所定値となったときに、検出した前記タイヤ空気圧の情報を無線信号にて送信することを特徴とするタイヤ空気圧送信装置。
【請求項２】
請求項１に記載のタイヤ空気圧送信装置において、
前記重力加速度成分検出手段は、前記遠心力方向の加速度が大きいほど前記サンプリング周期を短く設定することを特徴とするタイヤ空気圧送信装置。
【請求項３】
請求項１または請求項２に記載のタイヤ空気圧送信装置において、
前記重力加速度成分検出手段は、前記加速度検出手段が検出した前記遠心力方向の加速度が所定加速度以上であるときには、前記重力加速度成分の値の検出を中止することを特徴とするタイヤ空気圧送信装置。
【請求項４】
各タイヤの空気圧を監視するタイヤ空気圧モニタシステムにおいて、
各車輪のタイヤに装着され、タイヤ空気圧を検出するタイヤ空気圧検出手段と、
各車輪に設けられ、車輪が回転しているときの遠心力方向加速度を検出する加速度検出手段と、
前記遠心力方向の加速度に基づいてサンプリング周期を設定し、設定した前記サンプリング周期ごとに前記遠心力方向の加速度の重力加速度成分の値を検出する重力加速度成分検出手段と、
前記重力加速度成分の値が所定値となったときに、検出した前記タイヤ空気圧の情報と、各送信機固有の識別情報とを載せた無線信号を送信する送信機と、
車体側に設けられ、前記無線信号を受信する受信機と、
各車輪と対応して車体側に設けられ、車輪の回転位置を検出する回転位置検出手段と、
ある識別情報を含む無線信号が送信されたときの各車輪の回転位置から前記送信機が取り付けられた車輪の位置を判定する車輪位置判定手段と、
を設けたことを特徴とするタイヤ空気圧モニタシステム。
【請求項５】
請求項４に記載のタイヤ空気圧モニタシステムにおいて、
前記重力加速度成分検出手段は、前記遠心力方向の加速度が大きいほど前記サンプリング周期を短く設定することを特徴とするタイヤ空気圧モニタシステム。
【請求項６】
請求項４または請求項５に記載のタイヤ空気圧モニタシステムにおいて、
前記重力加速度成分検出手段は、前記加速度検出手段が検出した前記遠心力方向の加速度が所定加速度以上であるときには、前記重力加速度成分の値の検出を中止することを特徴とするタイヤ空気圧モニタシステム。
【請求項７】
車輪に取り付けられたタイヤ空気圧送信装置において、
前記車輪のタイヤ空気圧を検出するタイヤ空気圧検出手段と、
前記車輪の回転周波数を検出する回転周波数検出手段と、
前記回転周波数に基づいてサンプリング周期を設定し、設定した前記サンプリング周期ごとに前記車輪の回転位置を検出する車輪側回転位置検出手段と、
前記車輪の回転位置が所定位置となったときに、検出した前記タイヤ空気圧の情報を無線信号にて送信することを特徴とするタイヤ空気圧送信装置。
【請求項８】
請求項７に記載のタイヤ空気圧送信装置において、
前記車輪側回転位置検出手段は、前記車輪の回転周波数が高いほど前記サンプリング周期を短く設定することを特徴とするタイヤ空気圧送信装置。
【請求項９】
請求項７または請求項８に記載のタイヤ空気圧送信装置において、
前記回転周波数検出手段は、タイヤに作用する荷重を検出するショックセンサであって、
前記車輪側回転位置検出手段は、前記ショックセンサが検出した荷重が所定荷重以上であるときには、前記車輪の回転位置の検出を中止することを特徴とするタイヤ空気圧送信装置。
【請求項１０】
各タイヤの空気圧を監視するタイヤ空気圧モニタシステムにおいて、
各車輪のタイヤに装着され、タイヤ空気圧を検出するタイヤ空気圧検出手段と、
各車輪に設けられ、前記車輪の回転周波数を検出する回転周波数検出手段と、
前記回転周波数に基づいてサンプリング周期を設定し、設定した前記サンプリング周期ごとに前記車輪の回転位置を検出する車輪側回転位置検出手段と、
前記車輪の回転位置が所定位置となったときに、検出した前記タイヤ空気圧の情報と、各送信機固有の識別情報とを載せた無線信号を送信する送信機と、
車体側に設けられ、前記無線信号を受信する受信機と、
各車輪と対応して車体側に設けられ、車輪の回転位置を検出する車体側回転位置検出手段と、
ある識別情報を含む無線信号が送信されたときに前記車体側回転位置検出手段により検出した各車輪の回転位置から前記送信機が取り付けられた車輪の位置を判定する車輪位置判定手段と、
を設けたことを特徴とするタイヤ空気圧モニタシステム。
【請求項１１】
請求項１０に記載のタイヤ空気圧モニタシステムにおいて、
前記車輪側回転位置検出手段は、前記車輪の回転周波数が高いほど前記サンプリング周期を短く設定することを特徴とするタイヤ空気圧モニタシステム。
【請求項１２】
請求項１０または請求項１１に記載のタイヤ空気圧モニタシステムにおいて、
前記回転周波数検出手段は、前記タイヤに作用する荷重を検出するショックセンサであって、
前記車輪側回転位置検出手段は、前記ショックセンサが検出した荷重が所定荷重以上であるときには、前記車輪の回転位置の検出を中止することを特徴とするタイヤ空気圧送信装置。
【請求項１３】
車輪に取り付けられたタイヤ空気圧送信装置において、
前記車輪のタイヤ空気圧を検出するタイヤ空気圧検出手段と、
前記車輪が回転しているときの遠心力方向加速度を検出する加速度検出手段と、
前記遠心力方向加速度の重力加速度成分の値の検出する手段であって、前記重力加速度成分の第１の周期では前記遠心力方向の加速度に基づいて設定した第１のサンプリング周期ごとに前記重力加速度成分を検出し、前記第１の周期につづく第２の周期以降では前記第１の周期で検出した前記重力加速度成分に基づいて設定した第２のサンプリング周期ごとに前記重力加速度成分を検出し、無線信号を送信後、前記重力加速度成分の値の検出を停止する重力加速度成分検出手段と、
を備え、
前記遠心力方向の加速度の重力加速度成分の値が所定値となったときに、検出した前記タイヤ空気圧の情報を無線信号にて送信することを特徴とするタイヤ空気圧送信装置。
【請求項１４】
請求項１３に記載のタイヤ空気圧送信装置において、
前記重力加速度成分検出手段は、前記第１の周期では前記遠心力方向加速度の遠心力成分が大きいほど前記サンプリング周期を短く設定することを特徴とするタイヤ空気圧送信装置。
【請求項１５】
請求項１３または請求項１４に記載のタイヤ空気圧送信装置において、
前記重力加速度成分検出手段は、前記第２の周期以降では、前記第１の周期で検出した前記重力加速度成分の周期が短いほど前記サンプリング周期を短く設定したことを特徴とするタイヤ空気圧送信装置。
【請求項１６】
各タイヤの空気圧を監視するタイヤ空気圧モニタシステムにおいて、
各車輪のタイヤに装着され、車輪のタイヤ空気圧を検出するタイヤ空気圧検出手段と、
各車輪に設けられ、車輪が回転しているときの遠心力方向加速度を検出する加速度検出手段と、
前記遠心力方向加速度の重力加速度成分の値の検出する手段であって、前記重力加速度成分の第１の周期では前記遠心力方向の加速度に基づいて設定した第１のサンプリング周期ごとに前記重力加速度成分を検出し、前記第１の周期につづく第２の周期以降では前記第１の周期で検出した前記重力加速度成分に基づいて設定した第２のサンプリング周期ごとに前記重力加速度成分を検出し、無線信号を送信後、前記重力加速度成分の値の検出を停止する重力加速度成分検出手段と、
前記遠心力方向の加速度の重力加速度成分の値が所定値となったときに、検出した前記タイヤ空気圧の情報と、各送信機固有の識別情報とを載せた無線信号を送信する送信機と、
車体側に設けられ、前記無線信号を受信する受信機と、
各車輪と対応して車体側に設けられ、車輪の回転位置を検出する回転位置検出手段と、
ある識別情報を含む無線信号が送信されたときの各車輪の回転位置から前記送信機が取り付けられた車輪の位置を判定する車輪位置判定手段と、
を設けたことを特徴とするタイヤ空気圧モニタシステム。
【請求項１７】
請求項１６に記載のタイヤ空気圧モニタシステムにおいて、
前記重力加速度成分検出手段は、前記第１の周期では前記遠心力方向加速度の遠心力成分が大きいほど前記サンプリング周期を短く設定することを特徴とするタイヤ空気圧送信装置。
【請求項１８】
請求項１６に記載のタイヤ空気圧モニタシステムにおいて、
前記重力加速度成分検出手段は、前記第２の周期以降では、前記第１の周期で検出した前記重力加速度成分の周期が短いほど前記サンプリング周期を短く設定したことを特徴とするタイヤ空気圧送信装置。
【国際調査報告】
2012147396.tif 000023
2012147396.tif 000024
2012147396.tif 000025
2012147396.tif 000026
2012147396.tif 000027
2012147396.tif 000028
2012147396.tif 000029